(57)【要約】【課題】マクロ撮影であり、内蔵ストロボ発光が許可された場合の露光オーバーの発生頻度を低下させるデジタルカメラを提供する。【解決手段】デジタルカメラの鏡筒部の背面に回転可能に配置された表示手段、前記表示手段の反転検位置出を行う反転位置検出手段、ストロボ発光手段、前記ストロボ発光手段の発光可否を設定するストロボ発光可否設定手段、少なくともマクロ撮影モードを備え、前記マクロ撮影モードを設定する撮影モード設定手段、測光を行う測光手段を備えたデジタルカメラであり、前記デジタルカメラはマクロ撮影モード時に前記ストロボ発光手段可否設定手段が発光可に設定され、前記表示手段が反転位置にあると前記反転位置検出手段が検出した場合に、前記表示手段により被写体側に向け白色照射を行うか、ストロボ発光手段による発光を行うかを選択決定する事を特徴とする。【選択図】  図１
2015096896.tif 000002
【特許請求の範囲】
【請求項１】
デジタルカメラの鏡筒部の背面に回転可能に配置された表示手段、前記表示手段の反転位置検出を行う反転検位置出手段、ストロボ発光手段、前記ストロボ発光手段の発光可否を設定するストロボ発光可否設定手段、少なくともマクロ撮影モードを備え、前記マクロ撮影モードを設定する撮影モード設定手段、測光を行う測光手段を備えたデジタルカメラであり、前記デジタルカメラはマクロ撮影モード時に前記ストロボ発光手段可否設定手段が発光可に設定され、前記表示手段が反転位置にあると前記反転位置検出手段が検出した場合に、前記表示手段により被写体側に向け白色照射を行うか、ストロボ発光手段による発光を行うかを選択決定する事を特徴とするデジタルカメラ。
【請求項２】
前記表示手段は撮影準備中常時照明か、撮影時のみ照明かを選択可能である事を特徴とする請求項１に記載のデジタルカメラ。
【請求項３】
前記表示手段は全面照射に加え、照射パターンを複数持つ事を特徴とする請求項１又は請求項２に記載のデジタルカメラ。
【請求項４】
前記表示手段は白色照射に加え、有色照射可能である事を特徴とする請求項１乃至請求項３の何れか１項に記載のデジタルカメラ。
【請求項５】
前記表示手段は照射強度を変えられる事を特徴とする請求項１乃至請求項４の何れか１項に記載のデジタルカメラ。
【発明の詳細な説明】
【技術分野】
【０００１】
本発明は、デジタルカメラの撮影条件決定方法に関し、特にマクロ撮影時の照明手段決定方法に関するものである。
【背景技術】
【０００２】
従来デジタルカメラ等を用いてのマクロ撮影、特にストロボ発光を伴う撮影に於いては近接距離での発光となるため調光制御自体が難しい状況であった。一般にデジタルカメラの調光制御は、本発光前にプリ発光を行いその反射光を測定し本発光量を求め、改めて本発光と共に露光を行う。しかしマクロ撮影の場合、被写体が近距離にあり前述したようにプリ発光を伴う調光制御を行うと、必要以上の反射光が発生するため本発光量の演算に誤差が発生する。
【０００３】
もしくはプリ発光の反射光が適正量であった場合でも本発光量が微量である場合短時間の放電動作となるため制御しにくいと言った問題があった。その結果本発光時の発光量が大きく露出オーバーの白とび現象が発生する事が多かった。そのためマクロ撮影時はあらかじめ照明しておく手法が有効とされている。被写体を照明する方法として特許文献１ではLCDのバックライト光源を照明用の光源として使用し、反射部材の挿入方向により光源を排他的に用いる技術が開示されている。
【先行技術文献】
【特許文献】
【０００４】
【特許文献１】特開２００５−７９７０２号公報
【発明の概要】
【発明が解決しようとする課題】
【０００５】
しかしながら、上述の特許文献に開示された従来技術では、反射部材の入れ替えが発生し容易に扱えるものではなかった。また常時照明しているため電池動作を行うデジタルカメラとしては電池の消耗を招く事となる。また照明光が不足している場合には、内蔵ストロボによる閃光発光が必要な状況もある。
【０００６】
そこで本発明の目的は、マクロ撮影に照明が必要な場合、出来る限りストロボによる閃光発光の頻度を下げ、白とびを起こす要因を除く事を可能にしたデジタルカメラを提供する事である。
【課題を解決するための手段】
【０００７】
上記課題を解決するために本発明は、デジタルカメラの鏡筒部の背面に回転可能に配置された表示手段、前記表示手段の反転位置検出を行う反転位置検出手段、ストロボ発光手段、前記ストロボ発光手段の発光可否を設定するストロボ発光可否設定手段、少なくともマクロ撮影モードを備え、前記マクロ撮影モードを設定する撮影モード設定手段、測光を行う測光手段を備えたデジタルカメラであり、前記デジタルカメラはマクロ撮影モード時に前記ストロボ発光手段可否設定手段が発光可に設定され、前記表示手段が反転位置にあると前記反転位置検出手段が検出した場合に、前記表示手段により被写体側に向け白色照射を行うか、ストロボ発光手段による発光を行うかを選択決定する事を特徴とする。
【発明の効果】
【０００８】
本発明によれば、マクロ撮影時に閃光発光を行うストロボの使用頻度を下げ、白とびを起こさない良好な撮影画像を提供する事が出来る。
【図面の簡単な説明】
【０００９】
【図１】本発明に係る表示装置の可動域を示す図である。
【図２】本発明に係るブロック図である。
【図３】本発明に係るフローチャートである。
【発明を実施するための形態】
【００１０】
［実施例１］
以下に、本発明の好ましい実施の形態を、添付の図面に基づいて詳細に説明する。図２は、本発明の実施形態に関わるデジタルカメラ１００のブロック図である。以下に各部の機能について説明する。２０１は光学像を撮像素子２０７上に結像させる光学レンズ群、２０２、２０３は２０１光学レンズ群を動作させるフォーカスモーター及びズームモーターである。２０４はフォーカスモーター２０２、ズームモーター２０３を駆動するモータードライバであり、２０５は撮像素子２０７に入力される光量を制限し、露光時間を制御するシャッター機能を兼ねる絞り機構部である。
【００１１】
２０６は絞り機構部２０５を駆動する絞り機構駆動部であり、２０７はＣＣＤ、ＣＭＯＳセンサーに代表される二次元の撮像素子であり、２０８は撮像素子２０７を駆動する撮像素子駆動部である。２０９はＣＤＳ（相関二重サンプリング）、ＡＧＣ（Ａｕｔｏｍａｔｉｃ  Ｇａｉｎ  Ｃｏｎｔｒｏｌ）等デジタル信号化前に行われる前段信号処理部、２１０はアナログ信号をデジタル信号化するＡＤ変換部である。２１１はＭＰＵ（Ｍｉｃｒｏ  Ｐｒｏｃｅｓｓｅｒ  Ｕｎｉｔ）２２１が実行するプログラムや各種テーブルデータ等を格納した読み出し専用のメモリーＲＯＭ（Ｒｅａｄ  Ｏｎｌｙ  Ｍｅｍｏｒｙ）である。
【００１２】
２１２は読み出し書き込みが可能なメモリーＲＡＭ（Ｒａｎｄａｍ  Ａｃｃｅｓｓ  Ｍｅｍｏｒｙ）であり画像データの展開、データの一時保存、データバッファーとして使用される。２１３は表示装置１０２を駆動する表示装置駆動部、１０２はＬＣＤ（Ｌｉｑｕｉｄ  Ｃｒｙｓｔａｌ  Ｄｉｓｐｌａｙ）などに代表される表示装置であり、撮影時の画像表示、再生時の画像表示、デジタルカメラ１００の状態表示等が行われる。２１４は着脱可能に構成される半導体メモリー２１５を制御可能にＭＰＵ２２１に接続する半導体メモリーソケット、２１５は撮影した画像データを記憶する半導体メモリーである。
【００１３】
２１６はデジタルカメラ１００に配置された操作部材の状態検出及び、状態検出用のセンサー等の状態を監視する状態検出部である。後述する、１０５シャッターボタン、１０６撮影再生切換スイッチ、１０７十字スイッチ、１０８セットスイッチ、１０９情報表示スイッチ、１１０メニュースイッチ、２１７反転位置検出センサー（不図示）等の状態検出を行う。２１８はデジタルカメラ１００に内蔵された内蔵ストロボの発光制御を行う内蔵ストロボ駆動部、２１９は内蔵ストロボである。２２０は外部のＰＣ（Ｐｅｒｓｏｎａｌ  Ｃｏｍｐｕｔｅｒ）等との通信を行う通新インターフェース部である。２２１はデジタルカメラ１００の制御全般を司るＭＰＵであり、ＲＯＭ２１１に格納されたプログラムコードに基づきデジタルカメラ１００の動作を制御する。
【００１４】
ＭＰＵ２２１はその他にもＤＳＰ（Ｄｉｇｉｔａｌ  Ｓｉｇｎａｌ  Ｐｒｏｃｅｓｓｅｒ）機能、ＪＰＥＧ形式のファイルのエンコード、デコード機能、ビデオ出力機能等複数の機能を備えている。以上、デジタルカメラ１００の各部の機能について説明したが、以下にデジタルカメラ１００の動作について説明する。
【００１５】
撮影時の挙動
光学レンズ群２０１を通過した光束は絞り機構部２０５で入力制限をされて撮像素子２０７上に光学像を結像する。結像された光学像は前段信号処理部２０９でＣＤＳ、ＡＧＣ等の処理を施されアナログ電気信号に変換され、ＡＤ変換部２１０に於いてデジタル信号に変換されＭＰＵ２２１に入力される。ＭＰＵ２２１内ではデジタル信号のまま各種映像信号処理が行われ、撮影に適切なシャッタースピード、絞り値、感度が算出されフィードバックされると同時に、ホワイトバランスが適切に調整され表示装置１０２上に表示される。
【００１６】
状態検出部２１６に含まれるシャッターボタン１０５の操作により本露光条件を算出し撮影中の画像を、算出された本露光条件により露光する。状態検出部２１６でストロボ発光が指定されている場合、本露光に先駆けてプリ発光を実施し、プリ発光前の光量とプリ発光時の光量から適正発光量を算出し本露光に同期して本発光が行われる。露光された光学信号は撮像素子２０７により光電変換され、前段信号処理部２０９、ＡＤ変換部２１０を経てＭＰＵ２２１にデジタル信号として入力される。ＭＰＵ２２１に入力されたデジタル信号は各種信号処理を経てＪＰＥＧ形式のファイルとしてエンコードされ、半導体メモリーソケット２１４を経由して半導体メモリー２１５に入力され保存される。
【００１７】
再生時の挙動
再生時には半導体メモリー２１５に記録されたＪＰＥＧ形式のファイルをＭＰＵ２２１に半導体ソケット２１４を経由して読み込み、デコード処理を行い画像データとして伸張し表示装置１０２に表示する。
【００１８】
以上、デジタルカメラ１００による撮影、再生の一連の動作について説明したが以下に、本発明の特徴であるマクロ撮影時の動作について説明する。
【００１９】
図１は本発明に係る表示装置２０１の可動域を表した図である。図１（Ａ）はデジタルカメラ１００の本体であり、１０１は表示装置１０２が収められ、ヒンジ部１０４により回転可能に配置された表示装置ユニット、１０２は表示装置、１０３は光学ビューファインダーである。表示装置ユニット１０１は不図示の反転位置検出センサー２１７で、反転位置にあるかをＭＰＵ２２１により監視される。１０５はシャッターボタンであり撮影のトリガーとなる。本実施例のシャッターボタンは２段の押し込みボタンで構成され、１段目押下（ＳＷ１）で露光条件が決定され、２段目押下（ＳＷ２）で絞り機構部２０５のシャッター動作を伴う本露光動作が行われる。
【００２０】
１０６は撮影再生切り換えスイッチであり撮影動作と再生動作の切り換えを行う。１０７は十字スイッチであり上下左右のスイッチにより機能の切り換えを行う。本実施例では撮影動作時には左のスイッチでマクロ撮影／非マクロ撮影の選択が可能であり、右のスイッチで内蔵ストロボ２１９（不図示）の発光／非発光の選択が可能である。１０８はセットスイッチ、１１０はメニュースイッチであり、メニュースイッチ１１０の押下により表示装置１０２上にメニュー表示が行われ、メニューの選択を十字スイッチ１０７により行い、セットスイッチ１０８によりメニューを確定する。
【００２１】
メニュー確定後には、メニューの設定内容の表示が行われ再び十字スイッチ１０７にてメニューの設定内容の選択が可能になり、内容選択後セットスイッチ１０８でメニューの内容を確定する。一例としてはメニュースイッチ１１０によりメニューを表示させ十字スイッチにより複数のメニュー内から「日付設定」を選択し、セットスイッチ１０８でメニューを確定する。メニューを確定後は日付選択画面が表示され十字スイッチ１０７で日付を選択し、セットスイッチ１０８で日付を確定する等の操作が挙げられる。１０９は情報表示スイッチであり、デジタルカメラ１００の設定情報、撮影画像情報等を表示装置１０２上に表示する。本実施例では表示装置ユニット１０１が図１（Ｂ）に示すように不図示の鏡筒側、すなわち被写体側に向けられ、マクロ撮影モードが設定され、ストロボ発光が許可された場合に、表示装置１０２を白色表示とし被写体に向けた照明として使用する事を許可する。
【００２２】
すなわち、照明光源として表示装置１０２と内蔵ストロボ２１９（不図示）を使用することが可能になる。よって十字スイッチ左側でマクロ撮影モードが設定され、十字スイッチ１０７右側スイッチでストロボ発光が許可された場合、ＭＰＵ２２１は光源として表示装置１０２による照明と、内蔵ストロボ２１９（不図示）による照明のどちらが適切であるかを判定して照明光源を選択する。以下に図３のフローチャートを用いて表示装置１０２による照明と内蔵ストロボ２１９（不図示）による発光との選択方法について説明する。
【００２３】
図３（Ａ）はシャッターボタン１０５の一段目押下（ＳＷ１）時のフローチャートである。Ｓ３０１でシャッターボタン１０５の一段目押下（ＳＷ１）が実行されると状態検知部２１６からＭＰＵ２２１に伝播し、ＭＰＵ２２１はＳ３０２で発光を伴う撮影かを判定する。発光が伴わない場合はＳ３１３へ進み本露光は非発光での露光であるとＭＰＵ２２１に記憶され、Ｓ３１２にてＭＰＵ２２１は撮像素子２０７の入射光量から適切な露光条件を算出し、Ｓ３０９にて算出された露光条件の設定を行う。Ｓ３０２で発光が伴うと判定された場合は、Ｓ３０３でＭＰＵ２２１はマクロ撮影であるかを判定し、マクロ撮影で無い場合にはＳ３１１でＭＰＵ２２１は本露光が内蔵ストロボ発光を伴う露光であると記憶した後Ｓ３１２へ進む。
【００２４】
Ｓ３１２以降では内蔵ストロボ非発光時と同様に測光、露光条件設定を行う。Ｓ３０３でマクロ撮影が設定されていた場合、Ｓ３０４でＭＰＵ２２１は反転位置検出センサー２１７により表示装置ユニット１０１が反転位置にあるかを判定する。反転位置で無い場合には表示装置ユニット１０１は被写体に向けた照射が出来ないため、Ｓ３１１にて本露光はストロボ発光を伴うとＭＰＵ２２１に記憶され、Ｓ３１２以降で測光、露光条件設定が行われる。Ｓ３０４で表示装置ユニット１０１が反転位置であると判定された場合には、表示装置ユニット１０１で被写体を照射する事が可能であるためＳ３０５で光源として表示装置ユニット１０１による白色照射を実行しＳ３０６へ進む。
【００２５】
Ｓ３０６では表示装置ユニット１０１による白色照射のもと測光を行い、Ｓ３０７で表示装置ユニット１０１による白色照射で光量が充分か判定を行う。光量が充分と判定された場合にはＳ３０８で本露光は表示装置ユニット１０１の照射による露光とＭＰＵ２２１に記憶され、Ｓ３０９で露光条件が設定される。Ｓ３０７で表示装置ユニット１０１による白色照射で光量が不十分と判定された場合は、Ｓ３１０にて表示装置ユニット１０１による白色照射を停止して光源に内蔵ストロボを選択し、Ｓ３１１でＭＰＵ２２１は本露光はストロボ発光を伴うと記憶してＳ３１２以降で、測光、露光条件設定を行う。
【００２６】
Ｓ３０９以降の処理はシャッターボタン１０５が２段目押下により図３（Ｂ）のフローチャートが実行されて本露光に至る。なおシャッターボタン１０５が１段目押下の状態から非押下状態に戻された場合にはＭＰＵ２２１は撮影条件、露光条件、表示装置ユニット１０１による照射をすべてリセットしてＳ３０１の１段目押下検出待ち状態に戻る。以上シャッターボタンユニット１０５の１段目押下に付いて説明したが、以下に２段目押下時の振る舞いに付いて説明する。
【００２７】
図３（Ｂ）はシャッターボタン１０５を１段目押下（ＳＷ１）状態から２段目押下状態（ＳＷ２）に押し込んだ場合のフローチャートである。Ｓ３５１ではシャッターボタン１０５が１段目押下状態から２段目押下が実行されるのを待機している。シャッターボタン１０５が２段目押下状態に遷移するとＳ３５２でシャッターボタン１０５の１段目押下時にＭＰＵ２２１が記憶した本露光が内蔵ストロボ発光を伴うものかどうかの判定を行い、内蔵ストロボ発光を伴う場合はＳ３５３に進む。Ｓ３５３では内蔵ストロボによる非発光時の輝度信号と、内蔵ストロボプリ発光時の輝度信号の取得を行う。
【００２８】
Ｓ３５４では取得した輝度信号の差分から、本発光時に必要な光量を算出する。Ｓ３５５では感度、絞り、シャッタースピード、内蔵ストロボ発光量等、本露光の露光条件を設定し、Ｓ３５６で内蔵ストロボ発光を伴う本露光を実行する。撮像素子２０７に蓄積された電荷はデジタル信号化されＭＰＵ２２１に取り込まれ、Ｓ３６１で各種信号処理を施し、Ｓ３６２でＪＰＥＧ形式にエンコードして、Ｓ３６３でファイルとして半導体メモリー２１５に保存される。
【００２９】
Ｓ３５２で内蔵ストロボの発光を伴わないと判定された場合、感度、絞り、シャッタースピード等の本露光条件を設定し、Ｓ３５８で内蔵ストロボの発光を伴わない本露光が行われる。本露光終了後はＳ３５９にて表示装置ユニット１０１による照射が行われていたかどうかの判定を行い、照射が行われていた場合、Ｓ３６０にて表示装置ユニット１０１の照射を停止する。以降ストロボ発光を伴う場合と同様にＳ３６１で信号処理が施され、Ｓ３６２でＪＰＥＧ形式にエンコードされ、Ｓ３６３で半導体メモリー２１５に保存される。
【００３０】
説明中、表示装置１０２による照明が選択された場合、撮影時のみの照明としたが、撮影中の構図決定のため仕様者の選択により常時照明を行う構成をとっても良い。また、表示装置１０２の照明は白色照射として説明したが右に偏った照明、左に偏った照明等照明等の照射パターンにより、影の出来方を変える事の出来る構成としても良い。白色照射によらず、使用者の演出意図により有色の照射が選択出来る構成をとる事も可能である。内蔵ストロボによる撮影が露光条件を決定した上で発光を行うのに対し、表示装置１０２による照明では照射強度を変える事により露出条件に影響を与える事が可能となり、より使用者の意図を反映した撮影が可能になる。
【００３１】
以上述べたようにマクロ撮影時に表示装置１０２による照射光を照明光源とするか、内蔵ストロボを照明光源にするかの判定を行う事で内蔵ストロボの閃光発光の頻度を下げ、撮影画像の白とびの発生頻度を低下させる事が出来る。
【００３２】
以上、本発明の好ましい実施形態について説明したが、本発明はこれらの実施形態に限定されず、その要旨の範囲内で種々の変形及び変更が可能である。
【符号の説明】
【００３３】
１００  デジタルカメラ本体
１０１  表示装置ユニット
１０２  表示装置
１０３  光学ファインダー
１０４  ヒンジ部
１０５  シャッターボタン
１０６  撮影再生切り換えスイッチ
１０７  十字スイッチ
１０８  セットスイッチ
１０９  情報表示スイッチ
１１０  メニュースイッチ
２１７  反転位置検出センサー
２２１  ＭＰＵ（Ｍｉｃｒｏ Ｐｒｏｃｅｓｓｅｒ  Ｕｎｉｔ）
【図１】
2015096896.tif 000003
【図２】
2015096896.tif 000004
【図３】
2015096896.tif 000005